(57)【特許請求の範囲】
【請求項１】
複数の薬剤容器から薬剤を採取し、所定量ずつ調製容器に供給して混合調製する自動調剤装置であって、
a)調剤に必要な薬剤容器の少なくとも一部及び調製容器を収容すると共に、後述の薬剤調製手段による薬剤の採取及び供給を妨げない形状から成る、複数のキャリアと、
b)前記キャリアを着脱自在に収容可能な収容部と、
c)前記収容部に収容された各薬剤容器から薬剤を採取して前記調製容器に供給する薬剤調製手段と、
を有し、
更に、
d)上記収容部に収容されるキャリアに担持された識別情報を読み取るキャリア情報読み取り手段と、
e)該キャリアの識別情報に関連付けられた処方データを取得する処方データ取得手段と、
f)該処方データに基づいて上記薬剤調製手段の動作を制御する制御手段と、
を有することを特徴とする自動調剤装置。
【請求項２】
a)薬剤容器及び調製容器を収容可能な複数のキャリアと、
b)各キャリアに担持された固有の識別情報と所定の処方データとを関連付けて記憶する処方データ管理手段と、
c)前記キャリアに担持された識別情報と該キャリアに収容される各薬剤容器及び／又は調製容器に担持された識別情報とを読み取る識別情報読み取り手段と、
d)前記識別情報読み取り手段によって読み取られたキャリアの識別情報に関連付けられた処方データを前記処方データ管理手段から取得し、該処方データから特定される薬剤容器及び／又は調製容器と前記識別情報読み取り手段によって読み取られた識別情報から特定される薬剤容器及び／又は調製容器が一致するか否かを判定する薬剤照合手段と、
e)前記薬剤照合手段による判定結果をユーザに通知する通知手段と、
f)薬剤容器及び／又は調製容器を収容したキャリアを着脱自在に収容可能な収容部と、該収容部に収容された各薬剤容器から薬剤を採取して調製容器に供給する薬剤調製手段と、前記収容部に収容されるキャリアに担持された識別情報を読み取るキャリア情報読み取り手段と、該キャリアの識別情報に関連付けられた処方データを前記処方データ管理手段から取得する処方データ取得手段と、該処方データに基づいて上記薬剤調製手段の動作を制御する制御手段とを備えた自動調剤装置と、
を有することを特徴とする調剤システム。
【請求項３】
更に、多数の薬剤容器を収蔵し、処方データに基づいて所定の薬剤容器を払い出し部から排出する薬剤自動払い出し装置を備え、前記払い出し部が上記キャリアを着脱自在に収容可能な構成となっていることを特徴とする請求項２に記載の調剤システム。
【請求項４】
上記薬剤自動払い出し装置が、上記払い出し部にセットされるキャリアに担持された識別情報を読み取るキャリア情報読み取り手段と、該識別情報に関連付けられた処方データを上記処方データ管理手段から取得する処方データ取得手段とを更に備え、該処方データに基づいて薬剤容器の払い出しを行うことを特徴とする請求項３に記載の調剤システム。
【請求項５】
上記薬剤自動払い出し装置が、所定の処方データを上記処方データ管理手段から取得する処方データ取得手段と、上記払い出し部にセットされるキャリアに担持された識別情報を読み取るキャリア情報読み取り手段とを更に備え、該処方データに従って薬剤容器の払い出しを行うと共に、前記キャリア情報読み取り手段によって読み取られた識別情報を該処方データに対応するものとして上記処方データ管理手段に送出するものであり、上記処方データ管理手段が、該識別情報を前記処方データに関連付けて記憶することを特徴とする請求項３に記載の調剤システム。
【発明の詳細な説明】
【技術分野】
【０００１】
本発明は、自動調剤装置及びそれを用いた調剤システムに関する。
【背景技術】
【０００２】
医療機関や薬局等における調剤作業は、医師の処方箋に基づいて薬剤師等の調剤担当者が手作業で行うのが一般的である。例えば、注射薬を混合調製する場合には、処方箋に記載された配合や投与量に基づいて調剤担当者が必要な薬液を所定量ずつ量り取って混合している。しかしながら、このような手作業による調剤作業は非常に煩雑であることから従来より省力化が強く望まれている。
【０００３】
そこで、こうした調剤作業を自動的に行うことのできる自動調剤装置が種々提案されており、例えば、特許文献１には装置内に配置された複数の薬瓶を自動的に識別する機能を備え、処方箋データに従って各薬瓶から水薬を量り取って混合調製する自動調剤装置が記載されている。
【０００４】
【特許文献１】特開2007-14463号公報
【発明の開示】
【発明が解決しようとする課題】
【０００５】
しかしながら、このような自動調剤装置を用いた場合であっても、調剤に必要な薬剤容器や調製容器等を装置内に搬入する際には人手による作業が必要となる。このとき、各薬剤容器等は、それぞれ装置内の所定の位置に配置する必要があるが、容器を出し入れするための開口部の位置や大きさなどといった装置構成上の制約により、従来こうした配列作業は手間を要するものであった。また、調剤作業は患者毎に異なる処方箋に基づいて行われるが、自動調剤装置を用いて内容の異なる調剤を連続して行う場合、前の調剤が完了してからでないと次の調剤に使用する薬剤等を装置内に配置することができない。このため、一回の調剤が完了する毎に、担当者が自動調剤装置の中から使用済みの薬剤容器等を取り出し、次の調剤に用いる薬剤容器等を一つずつ装置内の所定位置に配置するといった作業をその都度行う必要があった。こうした作業は、自動調剤装置を用いた調剤の作業性を低下させると共に調剤のスループット向上を妨げる要因となっていた。
【０００６】
そこで、本発明が解決しようとする課題は、自動調剤装置を用いた調剤の作業性を改善し、調剤効率を向上させることのできる自動調剤装置及び調剤システムを提供することである。
【課題を解決するための手段】
【０００７】
上記課題を解決するためになされた本発明に係る自動調剤装置は、複数の薬剤容器から薬剤を採取し、所定量ずつ調製容器に供給して混合調製する自動調剤装置であって、
a)調剤に必要な薬剤容器の少なくとも一部及び調製容器を収容すると共に、後述の薬剤調製手段による薬剤の採取及び供給を妨げない形状から成るキャリアと、
b)前記キャリアを着脱自在に収容可能な収容部と、
c)前記収容部に収容された各薬剤容器から薬剤を採取して前記調製容器に供給する薬剤調製手段と、
を有し、
更に、
d)上記収容部に収容されるキャリアに担持された識別情報を読み取るキャリア情報読み取り手段と、
e)該キャリアの識別情報に関連付けられた処方データを取得する処方データ取得手段と、
f)該処方データに基づいて上記薬剤調製手段の動作を制御する制御手段と、
を有することを特徴としている。
【０００８】
上記構成の自動調剤装置は、調剤に必要な薬剤容器の少なくとも一部及び調製容器を上記キャリアに収容した上で該キャリアごと上記収容部にセットすることのできる構成となっている。このため、薬剤容器の少なくとも一部及び調製容器を該キャリアによって一括して装置に搬入出することができ、作業性を向上させることができる。また、予めキャリア内の各薬剤容器等を装置内での配置に対応するように並べておくことで、キャリアを収容部にセットした際に、各容器を一括して装置内の所定の箇所に位置させることができる。このため、例えば、自動調剤装置で前の調剤を実行している間に、調剤担当者が次の調剤に使用する薬剤容器等をキャリア内に並べておくなどの準備を行うことができるため、調剤のスループットを向上させることができる。
【０００９】
なお、上記キャリアには調剤に必要な薬剤容器及び調製容器の全てを収容するものとしてもよく、あるいは、これらの薬剤容器及び調製容器の一部のみを収容し、残りの薬剤容器及び／又は調製容器は上記収容部に直接収容するようにしてもよい。後者の場合、前記収容部は、薬剤容器等を収容したキャリアに加えて、一つ以上の薬剤容器及び／又は調製容器を収容することができる構成とする。
【００１１】
上記処方データとは薬剤の処方に関する情報であり、通常は医師の処方箋に基づいて生成され、少なくとも調剤に用いる薬剤を特定するための情報（薬剤名又は薬剤に固有のコード等）を含んでいる。なお、上記処方データ取得手段は、上記自動調剤装置の内部に設けられた記憶装置を検索することにより前記処方データを取得するものであってもよく、通信ネットワークを介して外部装置を検索することにより前記処方データを取得するものであってもよい。また、上記キャリアにはそれぞれ固有の識別情報が担持されており、各識別情報と所定の処方データが予め関連付けられて前記外部装置又は前記自動調剤装置の内部に設けられた記憶装置に記憶される。
【００１２】
上記の構成の自動調剤装置において、上記収容部に収容されるキャリアの識別情報が上記キャリア情報読み取り手段によって読み取られると、該キャリアに対応した処方データが処方データ取得手段によって自動的に取得され、該処方データに基づいた自動調剤が実行される。そのため、調剤担当者が処方箋等を参照して調剤条件等の設定を行う必要がなく、調剤作業を効率化できると共に、キャリアの取り違えや処方データの入力ミスなどを防止して確実な調剤を実現することができる。
【００１３】
また、上記課題を解決するためになされた本発明に係る調剤システムは、
a)薬剤容器及び調製容器を収容可能な複数のキャリアと、
b)各キャリアに担持された固有の識別情報と所定の処方データとを関連付けて記憶する処方データ管理手段と、
c)薬剤容器及び／又は調製容器を収容したキャリアを着脱自在に収容可能な収容部並びに該収容部に収容された各薬剤容器から薬剤を採取して調製容器に供給する薬剤調製手段を備えた自動調剤装置と、
d)前記キャリアに担持された識別情報を読み取る識別情報読み取り手段と、
e)前記識別情報読み取り手段によって読み取られた識別情報に関連付けられた処方データを前記処方データ管理手段から取得し、該処方データから調剤によって発生する廃棄物に関する情報を生成し、該廃棄物が収容される廃棄物容器又は廃棄物容器に担持される付票に該情報を付与する廃棄物情報付与手段と、
を有することを特徴としている。
【００１４】
上記調剤システムにおいて、各キャリアにはそれぞれ固有の識別情報が担持され、各薬剤容器及び／又は調製容器にはそれぞれの種類に応じた識別情報が担持される。そのため、調剤担当者が必要な薬剤容器等をキャリアに取り纏めた後、上記識別情報読み取り手段によって該キャリアの識別情報と該キャリア内の各薬剤容器等の識別情報を読み取ることにより、該キャリアに正しい薬剤容器等が収容されているか否かを容易に判定することができる。更に、薬剤容器等を収容したキャリアを上記自動調剤装置にセットすると、上記キャリア情報読み取り手段によって該キャリアの識別情報が読み取られ、該識別情報に関連付けられた処方データが取得されてそれに基づく自動調剤が実行される。なお、上記識別情報読み取り手段は、キャリア及び該キャリアに収容された全ての薬剤容器等の識別情報を一括して読み取る構成としてもよく、あるいは、該キャリアに薬剤容器等を一つずつ収容する過程で前記識別情報の読み取りを行うものとしてもよい。
【００１５】
なお、上記本発明に係る調剤システムは、多数の薬剤容器を収蔵し、処方データに基づいて所定の薬剤容器を払い出し部から排出する薬剤自動払い出し装置を更に備え、前記払い出し部が上記キャリアを着脱自在に収容可能な構成を有するものとすることが望ましい。
【００１６】
このような構成によれば、上記薬剤自動払い出し装置の払い出し部にキャリアをセットすることで、調剤に必要な薬剤容器の少なくとも一部を該キャリアに直接払い出すことができる。このため、薬剤自動払い出し装置によって払い出された薬剤容器を手作業でキャリアに移す手間を省くと共に、人手を介在させることによるミスの発生を防止することができる。
【００１７】
また、上記本発明に係る調剤システムは、上記薬剤自動払い出し装置が、上記払い出し部にセットされるキャリアに担持された識別情報を読み取るキャリア情報読み取り手段と、該識別情報に関連付けられた処方データを上記処方データ管理手段から取得する処方データ取得手段とを更に備え、該処方データに基づいて薬剤容器の払い出しを行うものとすることが望ましい。
【００１８】
このような構成によれば、上記払い出し部にキャリアをセットすることにより、上記キャリア情報読み取り手段によって該キャリアの識別情報が読み取られ、該識別情報に対応した処方データが処方データ管理手段から取得される。これにより、該処方データに基づいて必要な薬剤容器等が決定され、自動的に前記キャリアへと払い出される。なお、上記キャリアに担持された識別情報の読み取りは、該キャリアを払い出し部にセットする前に行うものとしてもよい。
【００１９】
また、上記本発明に係る調剤システムは、上記薬剤自動払い出し装置が、所定の処方データを上記処方データ管理手段から取得する処方データ取得手段と、上記払い出し部にセットされるキャリアに担持された識別情報を読み取るキャリア情報読み取り手段を更に備え、該処方データに従って薬剤容器の払い出しを行うと共に、前記キャリア情報読み取り手段によって読み取られた識別情報を該処方データに対応するものとして上記処方データ管理手段に送出するものであり、上記処方データ管理手段が、該識別情報を前記処方データに関連付けて記憶することを特徴とするものとしてもよい。
【００２０】
このような構成によれば、上記薬剤自動払い出し装置によって所定の処方データに基づく薬剤容器をキャリアへと払い出し、これと略同時に、該キャリアの識別情報を読み取り、前記処方データに関連付けて上記処方データ管理手段に記憶させることができる。このため、前記関連付けのための作業を別途行う必要がなく、調剤作業に掛かる手間を一層軽減することができる。
【００２１】
なお、本発明においてキャリア、薬剤容器、又は調製容器に識別情報を担持させるための手段としては、例えば、一次元のバーコード又は二次元コードを前記キャリアや容器に貼付又は印刷する方法や、無線チップを前記キャリアや容器に貼付又は埋設する方法等が挙げられる。また、上記識別情報読み取り手段及び各キャリア情報読み取り手段としては、前記識別情報の担持方法に応じて、バーコードリーダやイメージセンサ、無線チップ用読み取り器等を適宜採用することができる。
【発明の効果】
【００２７】
以上の通り、上記構成を有する本発明に係る自動調剤装置又は調剤システムによれば、自動調剤装置を用いた調剤作業の作業性を改善することができると共に調剤のスループットを向上することができる。
【発明を実施するための最良の形態】
【００２８】
以下、本発明を実施するための最良の形態について実施例を用いて説明する。
【００２９】
図１及び図２は、本実施例の自動調剤装置におけるキャリアの構成を示す斜視図であり、図３は該キャリアを本実施例に係る自動調剤装置にセットした状態を示す斜視図である。また、図４は前記自動調剤装置の機能的構成を示すブロック図である。なお、自動調剤装置には開閉可能な扉を設けることが望ましいが、簡略化のため、ここでは図示を省略している。
【００３０】
キャリア１０は、底面板１１とその両側に立設された一対の側面板１２、及び側面板１２の上方に掛け渡された棒状の吊り下げ部材１３から成り、調剤に用いる薬剤容器２０及び調製容器２１等を底面板１１に載置するか吊り下げ部材１３に吊り下げた状態で容易に持ち運ぶことができる構成となっている。更に、側面板１２の外側面にはキャリア毎に固有の情報を記載したバーコード１４が貼付されている。なお、キャリア１０の形状は薬剤容器２０等を収容して自動調剤装置３０に収容可能な形状であれば上記のものに限定されず、図２に示すような箱型の形状やトレイ状など種々の形状とすることができる。
【００３１】
なお、上記キャリア１０は、容易に折り畳むことができる構造とすることが望ましい。これにより、不使用時にはコンパクトに保管することが可能となる。また、病原体や抗がん剤等による汚染を防止する観点から、上記キャリア１０はその一部又は全部を紙等の使い捨て可能な素材で構成するか、ステンレス等の滅菌可能な素材で構成することが望ましい。
【００３２】
一方、自動調剤装置３０は、薬剤容器２０等を収容したキャリア１０を収容可能な収容部３１と、収容部３１内に収容された複数の薬剤容器２０から薬剤を所定量ずつ抜き出して調製容器２１に供給する薬剤移送部３２と、キャリア１０に貼付されたバーコード１４を読み取るためのキャリア情報読み取り部３３と、後述する外部装置と通信するための通信部３４と、前記各部の動作を制御するための制御部３５とを備えている。なお、薬剤移送部３２は本発明の自動調剤装置における薬剤調製手段に相当する。薬剤容器２０等を収容したキャリア１０を収容部３１に収容すると、該キャリア１０に貼付されたバーコード１４がキャリア情報読み取り部３３によって読み取られる。制御部３５は、通信部３４を介して前記バーコード１４で表される識別情報に関連付けられた処方データを外部装置から取得し、該処方データに従って薬剤移送部３２の動作を制御する（詳細は後述する）。
【００３３】
なお、キャリア１０には、薬剤が収容された薬剤容器２０及び調製済みの薬剤を収容するための調製容器２１の他、薬剤容器２０から調製容器２１へ薬剤を移送するための輸液チューブ２３やシリンジ２４等をセットすることができる。また、各種の調剤において共通に使用される薬剤容器（例えば輸液瓶）については収容部３１に直接配置し、調剤毎に交換する必要のある薬剤容器（例えばアンプルやバイアル）や調製容器２１、輸液チューブ２３等の消耗品のみをキャリア１０に収容して収容部３１にセットする構成としてもよい。
【００３４】
また、自動調剤装置３０の薬剤移送部３２には、輸液チューブ２３を介して薬剤を吸引するためのポンプや該ポンプに接続される輸液チューブ２３を切り替えるためのバルブ、又はシリンジ２４及び該シリンジに嵌挿されたプランジャを駆動して薬剤の吸引・吐出動作を行うシリンジ駆動機構等が設けられており、制御部３５の制御の下で、該ポンプやバルブ、又はシリンジ駆動機構を駆動することにより、薬剤容器２０から所定量の薬剤を吸引して調製容器２１へと供給することができる。なお、こうした薬剤を移送するための機構としては、例えば従来既知のものを用いることができる。
【００３５】
以上の構成から成る本実施例の自動調剤装置３０によれば、複数の薬剤容器２０等をキャリア１０によって一括して取り扱い、該キャリア１０ごと収容部３１にセットすることができる。このため、従来のように各薬剤容器２０等を一つずつ手作業で自動調剤装置３０の内部に配置する必要がなく、作業効率を改善できると共に調剤のスループットを向上させることができる。また、薬剤容器２０等をキャリア１０に収容した状態で自動調剤を実行させることができるため、薬剤等がこぼれた場合にも自動調剤装置内部の汚れを最小限にすることができ、更に、自動調剤装置３０による調剤完了後には、使用済みの薬剤容器２０等をキャリア１０ごと廃棄場所まで運んで廃棄作業を行うことができるため、安全に作業を行うことができる。
【００３６】
続いて、上記自動調剤装置及びキャリアを用いた調剤システムの構成について、具体例を以下に説明する。
【００３７】
図５は、上記自動調剤装置３０を含む調剤システムの全体構成を示すブロック図である。本実施例の調剤システムは、医療機関内等に構築されたローカルエリアネットワーク（LAN）等の通信ネットワーク４０、医師用端末５０、処方データ管理サーバ６０、薬剤自動払い出し装置７０、薬剤照合装置８０、廃棄物情報印刷部２００、及び自動調剤装置３０を含んでいる。なお、薬剤照合装置８０には、識別情報読み取り装置９０と通知部１００が接続されている。
【００３８】
なお、本実施例に係る調剤システムは、複数のキャリア１０を備えており、各キャリア１０には上記のようにそれぞれ固有の識別情報を表したバーコード１４が貼付されている。また、キャリア１０に収容される各薬剤容器２０等には予めその種類に応じた識別情報を表したバーコード２２が貼付されている。
【００３９】
処方データ管理サーバ６０は、医師の処方箋を基に生成された処方データを記憶するものであり、医師用端末５０から入力された処方箋情報が、通信ネットワーク４０を介して医療機関の調剤部等に設けられた処方データ管理サーバ６０に送出され、該処方箋情報から処方データが生成されて処方データ管理サーバ６０内の記憶部（図示略）に記憶される。
【００４０】
薬剤自動払い出し装置７０は、種々の薬剤が収容されたアンプルやバイアル等の薬剤容器２０を多数ストックし、処方データ管理サーバ６０から取得された処方データに基づいて必要な薬剤容器２０を装置外に払い出すものである。図６に薬剤自動払い出し装置７０の機能ブロック図を示す。薬剤自動払い出し装置７０は通信部７５を介して通信ネットワーク４０に接続されており、更に、多数の薬剤容器２０を収蔵する収蔵部７２、収蔵部７２から所定の薬剤容器２０を排出する排出機構７３、収蔵部７２から排出された薬剤容器２０を受容する払い出し部７１を備えている。払い出し部７１は上述のキャリア１０を着脱自在にセット可能な構成となっており、払い出し部７１にキャリア１０をセットしておくことで、収蔵部７２から排出された薬剤を直接キャリア１０に払い出すことができる。上記各部の動作は制御部７７によって制御されており、処方データ管理サーバ６０から出力される処方データに基づいて制御部７７が排出機構７３の動作を制御することによって、所定の薬剤容器２０の払い出しが行われる。また、その際、キャリア１０に貼付されたバーコード１４がキャリア情報読み取り部７４によって読み取られ、該バーコード１４によって表される識別情報が処方データ管理サーバ６０に送出されて前記処方データに関連付けて記憶される（詳細は後述する）。なお、薬剤自動払い出し装置７０は、更に前記処方データをプリントアウトするための処方箋印刷部７６を備えており、紙に印刷された処方箋が薬剤容器２０と共に前記キャリア１０に収容される。
【００４１】
薬剤照合装置８０は、自動調剤装置３０による調剤を行う前に、キャリア１０に正しい薬剤容器２０等が収容されているか否かを判定するためのものである。本実施例において、薬剤照合装置８０、通知部１００、及び識別情報読み取り手段９０の機能は、それぞれ所定のプログラムをインストールしたパーソナルコンピュータ、該パーソナルコンピュータに接続されたディスプレイ、及びバーコードリーダによって実現される。識別情報読み取り装置９０によって、キャリア１０に貼付されたバーコード１４及び該キャリア１０に収容された薬剤容器２０等に貼付されたバーコード２２が読み取られると、薬剤照合装置８０は、キャリア１０のバーコード１４が表す識別情報に関連付けられた処方データを処方データ管理サーバ６０から取得する。そして、該処方データから調剤に必要な薬剤容器等を特定し、識別情報読み取り装置９０で読み取られたバーコード２２から特定される薬剤容器等がこれに一致するか否かを判定する。該判定の結果は、薬剤照合装置８０に併設された通知部１００によって調剤担当者に通知される。なお、通知部１００は、前記判定結果を示す文字情報をディスプレイ上に表示する構成とするほか、音声又は光によって判定結果を調剤担当者に通知する構成などとしてもよい。
【００４２】
自動調剤装置３０は、上記の図３及び図４で示した構成を有するものである。自動調剤装置３０は、収容部３１に収容されたキャリア１０の識別情報をキャリア情報読み取り部３３によって読み取り、通信部３４及び通信ネットワーク４０を介して該識別情報に対応した処方データを処方データ管理サーバ６０から取得し、該処方データに従った自動調剤を実行する。
【００４３】
廃棄物情報印刷部２００は、上記処方データから調剤によって発生する廃棄物に関する情報を生成して所定のラベルに印刷するものである。該ラベルは使用済み薬剤容器等を収容するための廃材バッグに貼付される（詳細は後述する）。なお、前記処方データは、自動調剤装置３０のキャリア情報読み取り部３３又は識別情報読み取り装置９０によってキャリア１０の識別情報が読み取られた際に、該識別情報に基づいて処方データ管理サーバ６０で特定され、廃棄物情報印刷部２００へ送出される。
【００４４】
以下、本実施例の調剤システムを用いた調剤の手順について図７〜図９のフローチャートを参照しながら説明する。図７は、前記調剤における薬剤自動払い出し装置の動作を示すフローチャートであり、図８は前記調剤における薬剤照合装置８０を用いた薬剤の照合手順を示すフローチャート、図９は前記調剤における自動調剤装置の動作を示すフローチャートである。
【００４５】
まず、医師が医師用端末５０で処方箋情報を入力すると、該処方箋情報が通信ネットワーク４０を介して処方データ管理サーバ６０に送出され、該処方箋情報から処方データが生成されて該サーバ６０内の記憶装置に記憶される。
【００４６】
薬剤自動払い出し装置７０は、処方データ管理サーバ６０から所定の処方データを受け取り（ステップＳ１１）、該処方データに従って調剤に必要な薬剤容器２０を判別して収蔵部７２から排出する。このとき、各薬剤容器２０は払い出し部７１にセットされたキャリア１０の中に払い出される（ステップＳ１２）。また、その際、処方箋印刷部７６によって上記処方データが紙に印刷され、前記薬剤容器２０と共にキャリア１０内に収容される。続いて、上記キャリア１０に貼付されたバーコード１４がキャリア情報読み取り部７４によって読み取られ（ステップＳ１３）、該バーコード１４で表されるキャリアの識別情報が、前記処方データに対応するものとして処方データ管理サーバ６０に送出される（ステップＳ１４）。これにより、処方データ管理サーバ６０では該キャリア１０の識別情報が前記所定の処方データと関連付けて記憶される。
【００４７】
次に、調剤担当者が薬剤自動払い出し装置７０からキャリア１０を取り出し、上記の紙に印刷された処方データを参照しながら必要に応じて輸液等の入った薬剤容器２０や調製容器２１等を手作業でキャリア１０内に追加する。
【００４８】
キャリア１０に全ての薬剤容器２０等を収容したら、調剤担当者は薬剤照合装置８０を用いてキャリア１０に正しい薬剤容器２０等が収容されているか否かを確認する。
【００４９】
まず、調剤担当者が識別情報読み取り装置９０を用いてキャリア１０のバーコード１４と該キャリアに収容された薬剤容器２０等のバーコード２２を読み取ると（ステップＳ２１）、各バーコード１４で表されるキャリア１０及び各薬剤容器２０等の識別情報が識別情報読み取り装置９０から薬剤照合装置８０へ送出される。薬剤照合装置８０は該キャリア１０の識別情報に対応する処方データを処方データ管理サーバ６０から取得し（ステップＳ２２）、該処方データから特定される薬剤容器２０等と、識別情報読み取り装置９０で読み取られた識別情報から特定される薬剤容器２０等を照合して両者が一致しているか否かを判定する（ステップＳ２３）。該判定の結果は通知部１００によって調剤担当者に通知される（ステップＳ２４）。このとき、キャリア１０にセットされた薬剤容器２０等と処方データから特定される薬剤容器等が一致していない旨が通知された場合、調剤担当者は、不要な薬剤容器２０等をキャリア１０から取り除くか、あるいは不足している薬剤容器２０等をキャリア１０に追加した上で、再びステップＳ２１を実行する。一方、キャリア１０にセットされた薬剤容器２０等と処方データから特定される薬剤容器等が一致している旨が通知された場合、調剤担当者は該キャリア１０を自動調剤装置３０へと搬送して収容部３１にセットする。なお、このとき必要に応じて調剤担当者が、薬剤移送部３２に設けられたポンプに輸液チューブ２３を接続したり、薬剤移送部３２に設けられたシリンジ駆動機構にシリンジ２４を取り付けたりといった作業を行う。
【００５０】
収容部３１にキャリア１０がセットされると、自動調剤装置３０のキャリア情報読み取り部３３によってキャリア１０のバーコード１４が読み取られ（ステップＳ３１）、該バーコード１４で表される識別情報に対応した処方データが処方データ管理サーバ６０から取得される（ステップＳ３２）。取得された処方データは制御部３５で動作する制御プログラムに与えられ、該処方データに基づいて薬剤移送部３２の動作条件が決定される。該動作条件には、例えば、薬剤の移送元の容器と移送先の容器、薬剤の移送量、移送順序等の情報が含まれる。その後、調剤担当者が自動調剤装置３０の筐体に設けられた操作ボタン３６等を操作して自動調剤の開始を指示すると、該制御プログラムは所定の手順で薬剤移送部３２を制御し、前記動作条件に従った自動調剤が実行される（ステップＳ３３）。
【００５１】
自動調剤が完了したら調剤担当者が自動調剤装置３０からキャリア１０を取り出し、該キャリア１０内の使用済み薬剤容器２０、輸液チューブ２３、及びシリンジ２４等の廃棄物を所定の廃材バッグに収納する。該廃材バッグには廃棄物の情報が印刷されたラベルが貼付され、以降は該ラベルに記載された情報に基づいて該廃材バッグが管理される。なお、前記ラベルはステップＳ３１で読み取られた識別情報に基づいて廃棄物情報印刷部２００で印刷される。
【００５２】
以上のように、本実施例に係る調剤システムによれば、各キャリア１０に固有の識別情報を表したバーコード１４を付し、所定の処方データと該処方データに基づく調剤に使用するキャリア１０の識別情報とを関連付けることにより、該キャリア１０の識別情報に基づいて、薬剤の払い出しから自動調剤までの一連の工程を管理することができる。これにより、バーコードの読み取りを利用して薬剤の照合や自動調剤装置による調剤条件の設定等を容易に行うことができると共に、薬剤の取り違えや調剤条件の入力ミス等を防止して確実な調剤を行うことが可能となる。
【００５３】
また、上記のように一つのキャリアから取り出した廃棄物を一つの廃材バッグに収納し、該廃材バッグに廃棄物情報を記載したラベルを貼付することにより、取り扱いに注意が必要な薬剤を含む廃棄物と通常の調剤廃棄物とを容易に分別することができるため、調剤に係る廃棄物を適切に分別して保管、回収、処理等することができる。
【００５４】
以上、実施例を用いて本発明を実施するための最良の形態について説明を行ったが、本発明は上記構成に限定されるものではなく、本発明の趣旨の範囲で適宜変更が許容される。
【００５５】
例えば、上記実施例では、キャリア１０及び薬剤容器２０等に識別情報を付す手段として一次元のバーコードを利用したが、これに代えて二次元コードや無線チップを利用する構成としてもよい。
【００５６】
また、上記実施例では、キャリア１０に薬剤容器２０を払い出す際に、薬剤自動払い出し装置７０に設けられたキャリア情報読み取り部７４によって該キャリア１０の識別情報を読み取り、これを所定の処方データと関連付けるものとしたが、このほか、薬剤の払い出しを行う前に、他の手段によってキャリア１０の識別情報を読み取り、所定の処方データと関連付けて処方データ管理サーバ６０に記憶させておくものとしてもよい。このような構成とした場合、薬剤の払い出しを行う際に、薬剤自動払い出し装置７０に設けられたキャリア情報読み取り部７４によってキャリア１０の識別情報が読み取られると、これに対応する処方データが前記処方データ管理サーバ６０から取得され、該処方データに基づいた薬剤の払い出しが実行される。なお、薬剤自動払い出し装置による薬剤の払い出しを行わず、全ての薬剤容器等を調剤担当者が手作業で収集してキャリアに収容するようにしてもよい。
【００５７】
更に、廃棄物情報印刷部２００は、上記実施例のように独立に設けるほか、本発明の調剤システムを構成する装置のいずれかと一体に設けてもよい。例えば、廃棄物情報印刷部２００を薬剤自動払い出し装置７０と一体に構成し、処方データに基づいて薬剤の払い出しを行う際に、該処方データから特定される廃棄物情報をラベルに印刷して薬剤容器と共にキャリア１０に収容するようにしてもよい。また、廃棄物情報印刷部２００を自動調剤装置３０と一体に構成し、自動調剤の完了とほぼ同時に該調剤に係る廃棄物情報を記載したラベルが出力されるようにしてもよい。
【図面の簡単な説明】
【００５８】
【図１】本発明の一実施例に係るキャリアを示す斜視図であり、(a)はキャリアのみの状態を示し、(b)はキャリアに薬剤容器等を収容した状態を示す。
【図２】同実施例に係るキャリアの他の構成を示す斜視図。
【図３】同実施例に係る自動調剤装置に上記キャリアをセットした状態を示す斜視図。
【図４】上記自動調剤装置の機能的構成を示すブロック図。
【図５】本発明の一実施例に係る調剤システムを示すブロック図。
【図６】上記調剤システムにおける薬剤自動払い出し装置の機能的構成を示すブロック図。
【図７】上記調剤システムにおける薬剤自動払い出し装置の動作を示すフローチャート。
【図８】上記調剤システムにおける薬剤の照合手順を示すフローチャート。
【図９】上記調剤システムにおける自動調剤装置の動作を示すフローチャート。
【符号の説明】
【００５９】
１０…キャリア
２０…薬剤容器
２１…調製容器
１４、２２…バーコード
３０…自動調剤装置
３１…収容部
３２…薬剤移送部
３３…キャリア情報読み取り部
３５…制御部
４０…通信ネットワーク
６０…処方データ管理サーバ
７０…薬剤自動払い出し装置
７１…払い出し部
７２…収蔵部
７３…排出機構
７４…キャリア情報読み取り部
７７…制御部
８０…薬剤照合装置
９０…識別情報読み取り装置
１００…通知部
２００…廃棄物情報印刷部
【図１】
0005412645.tif 000002
【図２】
0005412645.tif 000003
【図３】
0005412645.tif 000004
【図４】
0005412645.tif 000005
【図５】
0005412645.tif 000006
【図６】
0005412645.tif 000007
【図７】
0005412645.tif 000008
【図８】
0005412645.tif 000009
【図９】
0005412645.tif 000010